(57)【要約】【課題】  従来の水飲み鳥の動作原理を応用し、少量の熱エネルギーを効率よく変換し、実用的な機械的エネルギーを得ることができ、且つ環境問題、資源枯渇問題等に影響を及ぼさない外燃機関を提供すること。【解決手段】  揮発性液体が封入された２つの密閉空間と、２つの密閉空間内の揮発性液体を相互に流通させる液体用配管と、２つの密閉空間の一方と他方との間に温度差を生じさせて揮発性液体の気化又は液化により生じる気圧差を利用して、液位を変動させる温度差形成手段を有し、２つの密閉空間のうち、少なくとも何れか一方に、揮発性液体の液面に浮遊し、液位変動に応じて上下に往復運動する浮遊体と、浮遊体の往復運動を回転運動に変換する変換機構を備えた外燃機関とする。【選択図】  図４
2009221925.tif 000002
【特許請求の範囲】
【請求項１】
揮発性液体が封入された２つの密閉空間と、前記２つの密閉空間内の前記揮発性液体を相互に流通させる液体用配管と、前記２つの密閉空間の一方と他方との間に温度差を生じさせて、前記揮発性液体の気化又は液化により生じる気圧差を利用して液位を変動させる温度差形成手段を有し、
前記２つの密閉空間のうち、少なくとも何れか一方に、前記揮発性液体の液面に浮遊し、液位変動に応じて上下に往復運動する浮遊体と、前記浮遊体の往復運動を回転運動に変換する変換機構を備えた外燃機関。
【請求項２】
前記２つの密閉空間は、上下段に高低差を持って配置されており、
前記温度差形成手段は、上段密閉空間の温度を下段密閉空間の温度より低く保つ手段、或いは下段密閉空間の温度を上段密閉空間の温度より高く保つ手段であることを特徴とする請求項１に記載の外燃機関。
【請求項３】
前記２つの密閉空間内の気体を相互に流通させる気体用配管を有し、
前記気体用配管には開閉バルブを備えることを特徴とする請求項２に記載の外燃機関。
【請求項４】
前記２つの密閉空間の少なくとも一方の内部に、揮発性液体の液位を検知する検知手段を有し、前記検知手段は、前記揮発性液体が所定の液位に達したことを検知した時に、前記開閉バルブを開閉することを特徴とする請求項３に記載の外燃機関。
【請求項５】
前記液体用配管は、前記上段密閉空間内の液体部分と前記下段密閉空間内の気体部分を連通する流下配管と、前記下段密閉空間内の液体部分と前記上段密閉空間の気体部分を連通する押上配管によって構成され、
前記流下配管には開閉バルブが備えられることを特徴とする請求項３又は４に記載の外燃機関。
【請求項６】
前記回転運動のエネルギーを、前記密閉空間と隔離された外部に磁力を介して伝達する手段を備えた請求項１乃至５何れかに記載の外燃機関。
【発明の詳細な説明】
【技術分野】
【０００１】
本発明は、周囲環境の熱エネルギーを利用して、実用に供し得る機械的エネルギーを得ることができる外燃機関に関する。
【背景技術】
【０００２】
従来の熱エネルギーを機械的エネルギーに変換する装置としては、ガソリンエンジンやガスタービン等のような内燃機関や、蒸気機関やスターリングエンジン等のような外燃機関が挙げられる。
【０００３】
しかし、何れも化石燃料の燃焼等により得られる多量の熱エネルギーを必要とし、また、二酸化炭素や窒素酸化物等を発生し、これらが大気中に排出されることにより地球温暖化や、大気汚染による酸性雨や呼吸疾患等の公害を引き起こすため、深刻な環境問題の要因となっている。
また、燃料として用いる資源の埋蔵量にも限りがあるため、将来に向けての持続性の点からも問題視されている。
【０００４】
一方で、見かけ上、外部から何らエネルギーを付加されることなく動作する「水飲み鳥」や「平和鳥」等の名称で呼ばれる玩具（以下、水飲み鳥）が存在する（特許文献１参照）。
【０００５】
図６（ａ）は水飲み鳥の簡略図である。水飲み鳥は、二つの中空のガラス球を管で繋いだ形をしており、ガラス球の一方を鳥の頭部、他方を鳥の腹部、ガラス管を鳥の首部と見立てている。装置全体は首部で回転軸によって支えられている。頭部には嘴が取り付けられ、頭部はフェルトのような布材で覆われている。また、多くの場合、目玉とシルクハットと尾羽等で鳥の外観を模するように飾りつけられている。
腹部の球は内部底近くまで首部の管が達しているが、頭部の球は球面上で首部の管に接合されている。水飲み鳥内部には、揮発性液体が封入されている。
この鳥に似せた模型（水飲み鳥）は、頭部を下げ、水を満たした容器に嘴部を浸け、所定時間経過後、頭部を起こし、さらに所定時間経過後、再び頭部を下げ、嘴部を水に浸けるという動作を繰り返す。
【０００６】
水飲み鳥は、複数の物理法則を利用した熱機関であり、他の熱機関と同様に、熱力学的サイクルの繰り返しによって動作する。図６（ｂ）は、水飲み鳥の動作を工程毎に示す断面図である。
【０００７】
図６（ｂ）（１）は、初期状態である。水飲み鳥は、頭部を覆う布材が湿潤した状態で直立している。
頭部を覆う布材から水が蒸発すると、蒸発熱が奪われ、頭部の温度が下がる。
理想気体の状態方程式から導かれるボイル・シャルルの法則によると体積一定の下で気体の温度と圧力は比例するので、頭部の温度が下がることにより、頭部の気圧が下がり、頭部と腹部に気圧差が生じるので、管内の液面が上昇し、重心が上がり、図６（ｂ）（２）のように前方へ傾く。
液体が頭部へ流れ込み、さらに傾くと図６（ｂ）（３）のように管の下端が液面から出て、腹部の気体が管を通って低圧となっている頭部へと移動し、頭部と腹部は圧平衡状態となる。
頭部と腹部が圧平衡状態となると頭部及び管内の液体は重力により腹部へと戻され、水飲み鳥は再び図６（ｂ）（４）の直立状態となる。
この時、頭部が湿潤していれば、再び（１）乃至（４）のサイクルが繰り返される。
即ち、水飲み鳥は、前傾した時に嘴が水を満たした容器に浸かり、毛細管現象により、頭部の布材が湿潤するようにしておけば、頭部を湿潤させるに足る水がある限り、動作を続けることができる。
【０００８】
この水飲み鳥の動作原理では、周囲環境の熱をエネルギー源としており、従来の熱機関のように多量の熱エネルギーを必要としないので、燃料を燃焼させることを必要とせず、二酸化炭素や窒素酸化物の発生等、環境への悪影響や資源枯渇の問題がない。
しかしながら、従来の水飲み鳥では、自身が緩やかに動作できる程度の微量なエネルギーが得られるのみで、外部に対しては殆ど仕事を行うことができず、実用的ではなく、玩具の域を脱しない。
【０００９】
【特許文献１】特公昭２５−２４５５号公報
【発明の開示】
【発明が解決しようとする課題】
【００１０】
本発明が解決しようとする課題は、従来の水飲み鳥の動作原理を応用し、少量の熱エネルギーを効率よく変換し、実用に供するに十分な機械的エネルギーを得ることができ、且つ環境問題、資源枯渇問題等に影響を及ぼさない外燃機関を提供することである。
【課題を解決するための手段】
【００１１】
請求項１に係る発明は、揮発性液体が封入された２つの密閉空間と、前記２つの密閉空間内の前記揮発性液体を相互に流通させる液体用配管と、前記２つの密閉空間の一方と他方との間に温度差を生じさせて前記揮発性液体の気化又は液化により生じる気圧差を利用して、液位を変動させる温度差形成手段を有し、前記２つの密閉空間のうち、少なくとも何れか一方に、前記揮発性液体の液面に浮遊し、液位変動に応じて上下に往復運動する浮遊体と、前記浮遊体の往復運動を回転運動に変換する変換機構を備えた外燃機関に関する。
【００１２】
請求項２に係る発明は、前記２つの密閉空間は、上下段に高低差を持って配置されており、前記温度差形成手段は、上段密閉空間の温度を下段密閉空間の温度より低く保つ手段、或いは下段密閉空間の温度を上段密閉空間の温度より高く保つ手段であることを特徴とする請求項１に記載の外燃機関に関する。
【００１３】
請求項３に係る発明は、前記２つの密閉空間内の気体を相互に流通させる気体用配管を有し、前記気体用配管には開閉バルブを備えることを特徴とする請求項２に記載の外燃機関に関する。
【００１４】
請求項４に係る発明は、前記２つの密閉空間の少なくとも一方の内部に、揮発性液体の液位を検知する検知手段を有し、前記検知手段は、前記揮発性液体が所定の液位に達したことを検知した時に、前記開閉バルブを開閉することを特徴とする請求項３に記載の外燃機関に関する。
【００１５】
請求項５に係る発明は、前記液体用配管は、前記上段密閉空間内の液体部分と前記下段密閉空間内の気体部分を連通する流下配管と、前記下段密閉空間内の液体部分と前記上段密閉空間の気体部分を連通する押上配管によって構成され、前記流下配管には開閉バルブが備えられることを特徴とする請求項３又は４に記載の外燃機関に関する。
【００１６】
請求項６に係る発明は、前記回転運動のエネルギーを、前記密閉空間と隔離された外部に磁力を介して伝達する手段を備えた請求項１乃至５何れかに記載の外燃機関に関する。
【発明の効果】
【００１７】
請求項１に係る発明によれば、２つの密閉空間に、揮発性液体が封入されており、該２つの密閉空間に温度差を生じさせる温度差形成手段を有することにより、高温側密閉空間内の揮発性液体を気化分散、或いは低温側密閉空間内の揮発性液体を液化凝縮し、２つの密閉空間に気圧差を生じさせることができる。
ここで、該２つの密閉空間は内部の揮発性液体を相互に流通させる液体用配管によって連通連結されていることにより、生じさせた気圧差によって、揮発性液体を、液体用配管を介して高圧側から低圧側へと流通させ、液位を上下させることができる。
そして、液面に浮かぶ浮遊体は、液位の上下変動に追従して上下に往復運動し、この往復運動が回転運動に変換されることにより、回転運動のエネルギーが得られ、このエネルギーを利用して駆動軸を回転させることができるので、発電機等の駆動に利用可能な実用的な機械的エネルギーが得られる。また、燃料の燃焼等を必要としないので、二酸化炭素や窒素酸化物の発生等、環境問題への悪影響も与えない。
【００１８】
請求項２に係る発明によれば、上段密閉空間を低温に保つことで、上段密閉空間内の気化した揮発性液体が液化凝集され、上段密閉空間内が低圧になる。或いは、下段密閉空間を高温に保つことで下段密閉空間内の揮発性液体が気化分散され、下段密閉空間内が高圧となる。即ち下段の圧力が上段に対し高圧となることにより、下段密閉空間内の揮発性液体が液体用配管を通して、上段密閉空間に押し上げられ、上段の液位を上昇、下段の液位を下降させることができる。
また、温度差を無くして圧平衡状態とすると、２つの密閉空間が上下段に配置されていることにより、重力によって、上段の液位を下降、下段の液位を上昇させることができる。
このように上段と下段に配置された密閉空間を利用することで、少量の熱エネルギーから効率よく機械的エネルギーを得ることができる。
【００１９】
請求項３に係る発明によれば、下段密閉空間と、上段密閉空間の気体部分同士を連結し、開閉バルブを備える気体用配管を有することから、開閉バルブを閉状態とすると、上段と下段の密閉空間に気圧差を生じさせ、液体用配管を通して揮発性液体を上段へと押し上げることができ、開閉バルブを開状態とすると、温度差を無くさなくとも圧平衡状態とすることができ、上段へと押し上げられた揮発性液体を重力により液体用配管を通して下段へと戻すことができる。
【００２０】
請求項４に係る発明によれば、揮発性液体の液位を検知する検知手段を有することで、上段密閉空間内の液位が所定の位置まで上昇した時、或いは下段密閉空間内の液位が所定の位置まで下降した時に、開閉バルブを開状態とし、上段密閉空間内の液位が所定の位置まで下降した時、或いは下段密閉空間内の液位が所定の位置まで上昇した時に、開閉バルブを閉状態とする切り替えを行えるので、連続的に液位を上下変動させることができる。
【００２１】
請求項５に係る発明によれば、下段密閉空間内の液体部分と上段密閉空間の気体部分を連通する押上配管を有することから、上下段密閉空間の気圧差を利用して、揮発性液体を上段へ押し上げる際に、上段密閉空間内の揮発性液体の自重による影響を受けず、また、上段密閉空間内の液体部分と下段密閉空間内の気体部分を連通し、開閉バルブを備える流下配管を有することから、気体用配管の開閉バルブと同時に流下配管の開閉バルブを開状態とすれば、上段へ押し上げられた揮発性液体の下段への移動を迅速に行うことができるので、より効率良く機械的エネルギーを得ることができる。
【００２２】
請求項６に係る発明によれば、磁力により密閉空間外部に回転運動を伝達する手段を有することにより、密閉空間の密閉状態を維持しながら密閉空間内で得られた運動エネルギーを外部に取り出し、使用することができ、また、電磁誘導を利用すれば、電気的エネルギーに変換できる。
【発明を実施するための最良の形態】
【００２３】
以下、本発明に係る外燃機関の好適な実施形態について、図面を参照しつつ説明する。
図１は、本発明に係る外燃機関の構成図である。
図１における外燃機関（１）は、内部にジクロロメタンやエーテル等の揮発性液体（Ｌ）を封入した２つの密閉空間（２）、（３）と、揮発性液体（Ｌ）を２つの密閉空間に相互に流通させる気体用配管（４１）と、温度差形成手段（図示略）と、揮発性液体（Ｌ）に浮遊する浮遊体（５）と、後述する浮遊体の上下往復運動を回転運動に変換する変換機構を有している。
【００２４】
密閉空間（２）、（３）は、底面が同じ高さとなるように高低差無く並列に配置され、その内部は空気を抜かれ、揮発性液体が気化した気体（Ｇ）で充満されている。
気体用配管（４１）は図１では１本のみ示されているが、複数有していても良い。また連結位置は、密閉空間（２）、（３）の夫々最下部に位置しているが、液面より低い位置にあれば良い。
浮遊体（５）は、図１ではフロートが示されている（以下フロート（５）と称す）。フロート（５）は揮発性液体（Ｌ）よりも比重の小さい素材から形成され、図示の如く、揮発性液体（Ｌ）の液面に浮遊した状態で配設され、液面の変動に伴って上下動する。
【００２５】
変換機構は、図１ではコネクティングロッド（６）とクランクシャフト（７）から構成されている。コネクティングロッド（６）は、フロート（５）とクランクシャフト（７）とを連結しており、フロート（５）の上下往復運動をクランクシャフト（７）の回転運動に変換する。
フロート（５）とコネクティングロッド（６）とクランクシャフト（７）は、図１では密閉空間（２）内に配設されているが、密閉空間（３）内又は、密閉空間（２），（３）両方の内部に配設しても良い。
【００２６】
温度差形成手段とは、密閉空間（２）と密閉空間（３）との間に温度差を生じさせる手段であり、具体的には後述する図２に示す手段が好適に用いられる。
【００２７】
以下、本発明に係る外燃機関の作用を説明する。
温度差形成手段により、密閉空間（２）内が密閉空間（３）内より低くなるよう温度差を生じさせると、密閉空間（２）内は内部の気体（Ｇ）が液化凝集し密閉空間（３）内より低圧となる（ボイル・シャルルの法則）。両密閉空間（２），（３）は液体用配管（４１）によって液体部分同士が連通連結されているので、気圧差により揮発性液体（Ｌ）が移動させられ、図１（ｂ）のように密閉空間（２）内の液面が上昇する。
逆に温度差形成手段により、温度差を無くせば、密閉空間（２）内と密閉空間（３）内の気圧差も無くなり、図１（ａ）の状態に戻る。
【００２８】
フロート（５）は、揮発性液体（Ｌ）の液面に浮遊しているので、図１（ａ）及び（ｂ）のように液位の変動に追従し、上下往復運動をする。
フロート（５）の上下往復運動は、コネクティングロッド（６）とクランクシャフト（７）により、回転運動に変換される。これにより、実用に供し得る機械的エネルギーを得ることができる。
【００２９】
図２は、本発明に係る外燃機関（１）の温度差形成手段の例を示す図である。
本発明に係る外燃機関（１）は、密閉空間（２）の温度を密閉空間（３）の温度より低く保つ温度差形成手段を有している。
温度差形成手段は、密閉空間（２）を密閉空間（３）より低温に保つ保冷手段、又は密閉空間（３）を密閉空間（２）より高温に保つ保温手段である。但し、本発明においては、保冷手段、保温手段の両方を備える構成を採用することもできる。
ここで、保温手段により保たれる高温は、燃料の燃焼等による多量の熱エネルギーを受けて得るような高温ではなく、揮発性液体（Ｌ）が気化する程度に、常温に比べやや高い温度であればよい。また、保冷手段により保たれる低温は、揮発性液体（Ｌ）が液化する程度に、常温に比べやや低い温度であればよい。
なお、ここで説明する温度差形成手段は、後述する第２の実施形態において、より好適に利用できるので、図２では、密閉空間（２）及び（３）が上下段に配置された図が示されている。
【００３０】
図２に示す保冷手段は、密閉空間（２）の外周を覆う被覆布材（２１）と、密閉空間（２）上方に配設された滴下水槽（２２）から構成されている。このような保冷手段によれば、滴下水槽（２２）から水を滴下させ、毛細管現象を利用して被覆布材（２１）を湿潤させ、湿潤した被覆布材から水が蒸発することで、蒸発熱が奪われ、冷却効果を得ることができる。
【００３１】
図２に示す保温手段は、密閉空間（３）を浸すことができる温浴槽（３１）から構成されている。このような保温手段によれば、温浴槽（３１）内に温湯を収容することにより、温泉熱等を利用して密閉空間（３）を温めることができる。
この場合、液体用配管（４１）の密閉空間（３）との接続部近辺も温められ、配管（４１）内でも気化分散が生じる。配管（４１）内で発生した気体（Ｇ）が、密閉空間（２）に流入すると、効率良く気圧差を形成できないので、温浴槽内の配管は、図２のように勾配を持たせる必要がある。
【００３２】
温度差形成手段の他の例としては、密閉空間にヒートパイプやラジエータを配設する手段や、屋内と屋外の寒暖差を利用する手段や、ボイラー等の排熱を利用する手段等が好適に利用できる。
【００３３】
図３は、本発明に係る外燃機関（１）の第２の実施形態を示す構成図である。
第２の実施形態の外燃機関（１）は、図１と同様に、内部に揮発性液体（Ｌ）を封入し２つの密閉空間（２）及び（３）と、密閉空間（２）、（３）内の揮発性液体（Ｌ）を相互に流通させる液体用配管（４１）と、温度差形成手段と、揮発性液体（Ｌ）に浮遊する浮遊体と、往復運動を回転運動に変換する変換機構を有している。
密閉空間（２）及び（３）の内部は空気を抜かれ、揮発性液体が気化した気体（Ｇ）で充満されている。浮遊体及び変換機構は、図１と同様の構成であり、浮遊体はフロート（５）からなり、変換機構はコネクティングロッド（６）とクランクシャフト（７）からなる。
【００３４】
第２の実施形態においては、密閉空間（２）と密閉空間（３）は、上下段に高低差を持って配置され、密閉空間（２）内と密閉空間（３）内の気体（Ｇ）を相互に流通させる気体用配管（４２）を有し、該配管（４２）には開閉バルブ（４３）が備えられている。
液体用配管（４１）及び気体用配管（４２）は、図３では、各々１本だが、複数有していても良く、開閉バルブ（４３）は、気体用配管（４２）１本毎に１箇所以上、配設される。また、各配管の連結位置については、液体用配管（４１）は密閉空間（２）、（３）の液体部分同士を、気体用配管（４２）は密閉空間（２）、（３）の気体部分同士を連結する位置であれば、特には限定されない。
【００３５】
温度差形成手段としては、図２に示した被覆布材（２１）と滴下水槽（２２）や、温浴槽（３１）等が好適に用いられる。
【００３６】
以下、第２の実施形態の作用について説明する。
開閉バルブ（４３）の閉状態において、密閉空間（２）が降温、或いは密閉空間（３）が昇温されると、気圧差が生じ、揮発性液体（Ｌ）は密閉空間（２）へ移動し、密閉空間（２）内の液位が上昇し、密閉空間（３）内の液位は下降する。
【００３７】
密閉空間（２）内の液位が上昇した状態で、開閉バルブ（４３）を開状態にすると、気体用配管（４２）を通って、気体（Ｇ）が密閉空間（２）に流入し密閉空間（２）と（３）の気圧差が無くなる。気圧差が無くなると、重力により密閉空間（２）内の液体（Ｌ）は密閉空間（３）へと移動し、密閉空間（２）内の液位は下降、密閉空間（３）内の液位は上昇する。
【００３８】
開閉バルブ（４３）の開閉を繰り返すことで、密閉空間（２）、（３）内の液位を上昇下降させるサイクルを繰り返すことができ、フロート（５）を往復運動させ、コネクティングロッド（６）及びクランクシャフト（７）によって回転運動へと変換できる。
これにより、駆動軸を回転させることができるので、発電機等の駆動に利用可能な実用的な機械的エネルギーが得られる。更に、密閉空間が上段下段に配置されていることで、揮発性液体の移動に重力を利用できるので、少量の熱エネルギーから効率よく機械的エネルギーを得ることができる。
また、燃料の燃焼等を必要としないので、二酸化炭素や窒素酸化物の発生等、環境問題への悪影響も与えない。
【００３９】
密閉空間（２）内には、図３に示すように液位を検知する手段としてセンサ（８）等を備えることが好ましい。所定の液位にて、開閉バルブ（４３）を開閉制御することができ、フロート（５）の往復運動、即ちクランクシャフト（７）の回転運動を連続的に行うことができるからである。
なお、図３では、クランクシャフト（７）の上死点、下死点付近にて、ドグを検知することで、間接的に液位を検知するセンサ（８）を示すが、液位そのものを検知するセンサやフロートスイッチ等であっても良い。
【００４０】
図４は、本発明に係る外燃機関（１）の第３の実施形態を示す構成図である。
第３の実施形態の外燃機関（１）は、図３に示す第２の実施形態と同様に、内部に揮発性液体（Ｌ）を封入し、上下段に高低差を持って配置された上段密閉空間（２）及び下段密閉空間（３）と、温度差形成手段と、密閉空間（２）内と密閉空間（３）内の気体（Ｇ）を相互に流通させる気体用配管（４２）と、開閉バルブ（４３）と、揮発性液体（Ｌ）に浮遊する浮遊体と、往復運動を回転運動に変換する変換機構を有している。
密閉空間（２）及び（３）の内部は空気を抜かれ、揮発性液体が気化した気体（Ｇ）で充満されている。浮遊体及び変換機構は、図１、３と同様の構成であり、浮遊体はフロート（５）からなり、変換機構はコネクティングロッド（６）とクランクシャフト（７）からなる。
【００４１】
温度差形成手段としては、第２の実施形態と同様に、図２に示した被覆布材（２１）と滴下水槽（２２）や、温浴槽（３１）等が好適に用いられる。
【００４２】
図４に示す第３の実施形態の外燃機関（１）は、図３に示す液体用配管（４１）に換えて、上段密閉空間（２）内の気体部分と下段密閉空間（３）内の液体部分とを連通する押上配管（４１１）と、上段密閉空間（２）内の液体部分と下段密閉空間（３）内の気体部分とを連通する流下配管（４１２）を有し、流下配管（４１２）には、開閉バルブ（４４）を備える。
【００４３】
以下、第３の実施形態の作用について説明する。
開閉バルブ（４３）、（４４）の閉状態において、密閉空間（２）が降温、或いは密閉空間（３）が昇温されると、気圧差が生じ、揮発性液体（Ｌ）は、押上配管（４１１）を通って密閉空間（２）へと押し上げられる。
【００４４】
密閉空間（２）内の液位が上昇した状態で、開閉バルブ（４３）、（４４）を開状態にすると、気体用配管（４２）を通って、気体（Ｇ）が密閉空間（２）に流入し密閉空間（２）と（３）の気圧差が無くなり、流下配管（４１２）を通って揮発性液体（Ｌ）は密閉空間（３）へ重力によって流下する。
【００４５】
開閉バルブ（４３）、（４４）の開閉を繰り返すことで、密閉空間（２）、（３）内の液位を上昇下降させるサイクルを繰り返すことができ、フロート（５）を往復運動させ、コネクティングロッド（６）及びクランクシャフト（７）によって回転運動へと変換できる。
【００４６】
第２の実施形態と同様に、密閉空間が上段下段に配置されていることで、揮発性液体（Ｌ）の流下に重力を利用でき、さらに、押上配管（４１１）は、上段密閉空間（２）の気体部分に連通しているため、上段密閉空間（２）に貯留された揮発性液体（Ｌ）の自重による影響を受けずに、下段密閉空間（３）内の揮発性液体（Ｌ）を上段密閉空間（２）へと移動させることができる。
従って、第２の実施形態に比べ、より効率よく、機械的エネルギーを得ることができる。
【００４７】
外燃機関（１）は、クランクシャフト（７）の回転運動のエネルギーを磁力によって、密閉空間（２）、又は密閉空間（３）の外部に取り出す手段を備えることが好ましい。磁力を用いることで、密閉空間の気密性が確保されるので、気体の漏れを防止したまま、密閉空間（２）、又は密閉空間（３）内で得られた運動エネルギーを外部に取り出し、使用することができるからである。
【００４８】
図５は、磁力による動力伝達手段の一例を示す図で、密閉空間（２）のクランクシャフト（７）軸端付近における側断面図である。
密閉空間（２）は、クランクシャフト（７）の軸端付近で壁面が外側に張り出した伝達部（２３）を有している。クランクシャフト（７）は、軸端近傍で支持され、軸端は伝達部（２３）の内壁面直近に達している。クランクシャフト（７）の軸端には、Ｎ極とＳ極を交互に等配した磁石（９）を備える。これに対し、伝達部（２３）の外側には、磁石（９）の周面と隔壁を挟んで対向するように磁石（１０）が配設され、磁石（１０）には駆動軸（１１）が接続されている。
クランクシャフト（７）が回転運動すると、磁石（９）と磁石（１０）の奏する磁気引力によって、駆動軸（１１）は従動し、運動エネルギーを外部へ取り出し使用することができる。
また、駆動軸（１１）にモーター等を連結すれば、電磁誘導により運動エネルギーを電気エネルギーに変換、即ち発電することもできる。
【００４９】
モーター等のような回転運動エネルギーを電気エネルギーに変換可能な発電機構を密閉空間内（２）又は（３）内に配設し、クランクシャフト（７）に連結すれば、電気エネルギーのみ外部に取り出すことも可能である。
【産業上の利用可能性】
【００５０】
本発明は、周辺環境の熱エネルギーを機械的エネルギーに変換する動力発生装置や、電気エネルギーへ変換する発電機等に利用できる。
【図面の簡単な説明】
【００５１】
【図１】本発明に係る外燃機関の構成図である。
【図２】本発明に係る外燃機関の温度差形成手段の例を示す図である。
【図３】本発明に係る外燃機関の第２の実施形態の構成図である。
【図４】本発明に係る外燃機関の第３の実施形態の構成図である。
【図５】本発明に係る外燃機関の動力伝達手段の例を示す図である。
【図６】従来の熱機関「水飲み鳥」を示す図である。
【符号の説明】
【００５２】
１      外燃機関
２      密閉空間
２１    被覆布材
２２    滴下水槽
２３    伝達部
３      密閉空間
３１    温浴槽
４１    液体用配管
４１１  押上配管
４１２  流下配管
４２    気体用配管
４３    開閉バルブ
４４    開閉バルブ
５      フロート
６      コネクティングロッド
７      クランクシャフト
８      センサ
９      磁石
１０    磁石
１１    駆動軸
Ｌ      揮発性液体
Ｇ      気化した揮発性液体
【図１】
2009221925.tif 000003
【図２】
2009221925.tif 000004
【図３】
2009221925.tif 000005
【図４】
2009221925.tif 000006
【図５】
2009221925.tif 000007
【図６】
2009221925.tif 000008